(57)【特許請求の範囲】
【請求項１】
切り欠き凹部が形成されている相対する長側壁と相対する短側壁と底部とを有するとともに、相対する短側壁の下部に、それぞれ、短側壁の上端部が挿入可能な嵌合凹部を形成し、且つ、何方か一方の嵌合凹部の溝幅を、もう一方の嵌合凹部の溝幅に比べて狭くしたことを特徴とする箱型容器。
【発明の詳細な説明】
【０００１】
【発明の属する技術分野】
本発明は、種々の物品を収納し、運搬、保管するための長側壁に切り欠き凹部が形成された箱型容器に関するものである。
【０００２】
【従来の技術】
図２及び図３を用いて、一例としての従来の箱型容器について説明する。
【０００３】
平面形状が長方形状の箱型容器Ｃは、相対する長側壁１と相対する短側壁２と底部３とから構成されており、長側壁１には、長側壁１のほぼ全幅に亘たって、切り欠き凹部１ａが形成されており、長側壁１の高さは、短側壁２の高さの略半分に形成されている。底部３には、その周縁に沿って底部３を囲むように、垂直枠３ａが形成されている。また、短側壁２の外壁面の下端からは、水平方向に延びる水平部２ａが形成されており、該水平部２ａの先端からは、下方に垂直に、底部３の垂直枠３ａの下端と同じ位置まで延びる垂直部２ｂが形成されている。そして、上記水平部２ａと垂直部２ｂと底部３の垂直枠３ａとにより、短側壁２に沿って、下方が開口した嵌合凹部４が形成されている。
【０００４】
短側壁２の上端から少し下がった短側壁２の外壁面には、水平方向に延びる上部水平リブ２ｃが形成されており、短側壁２の上部水平リブ２ｃより上の部分の高さｈは、嵌合凹部４の深さｄと同じか、若干、小さくなるように構成されている。なお、５及び６は、上部水平リブ２ｃと短側壁２の外壁面の下端から水平方向に延びる水平部２ａとの間の短側壁２の外壁面に形成された適当数の中間水平リブ及び垂直リブである。なお、長側壁１の外壁面にも、適宜、水平リブ１ｂや垂直リブ１ｃが、適宜、形成されている。
【０００５】
上述した箱型容器Ｃは、図３に示されているように、下の箱型容器Ｃｂの短側壁２の上端部が、上の箱型容器Ｃｕの嵌合凹部４に挿入されるようにして、多数、段積みされるように構成されている。
【０００６】
【発明が解決しようとする課題】
上述した箱型容器Ｃにおいては、図３に示されているように、下の箱型容器Ｃｂの短側壁２の上端部に、上の箱型容器Ｃｕの嵌合凹部４を挿入する段積み作業の作業性を向上するために、両方の嵌合凹部４の溝幅ｗを、共に、短側壁２の厚さｔより、相当広くしている。通常は、嵌合凹部４の溝幅ｗは、短側壁２の厚さｔの２．５〜５．０倍程度に形成されている。従って、上の箱型容器Ｃｕが、下の箱型容器Ｃｂに対して、大きく水平方向に大きく移動することになり、多数の箱型容器Ｃを段積みした際には、段積みされた上方の箱型容器Ｃが傾斜し、崩れるという問題があった。
【０００７】
本発明の目的は、上述した従来の箱型容器が有する課題を解決した箱型容器を提供することにある。
【０００８】
【課題を解決するための手段】
本発明は、上述した目的を達成するために、切り欠き凹部が形成されている相対する長側壁と相対する短側壁と底部とを有するとともに、相対する短側壁の下部に、それぞれ、短側壁の上端部が挿入可能な嵌合凹部を形成し、且つ、何方か一方の嵌合凹部の溝幅を、もう一方の嵌合凹部の溝幅に比べて狭くしたものである。
【０００９】
【実施例】
以下に、本発明の実施例について説明するが、本発明の趣旨を越えない限り何ら、本実施例に限定されるものではない。なお、以下に説明する嵌合凹部４の構成以外の構成については、上述した従来の箱型容器Ｃと同じであるので、その詳細な説明は省略するとともに、同じ符号を使用した。
【００１０】
本実施例においては、短側壁２の外壁面の下端から水平方向に延びる水平部２ａと、該水平部２ａの先端から下方に垂直に、底部３の垂直枠３ａの下端と同じ位置まで延びる垂直部２ｂと、底部３の垂直枠３ａとにより構成される、相対する短側壁２の下部に形成された一対の嵌合凹部４の何方か一方の溝幅ｗを、狭くしたものである。
【００１１】
図１においては、左側に位置する嵌合凹部４ａの溝幅ｗ’が狭く形成されており、短側壁２の厚さｔの１．５〜２．０倍程度に形成されることが好ましい。図１において、左側に位置する嵌合凹部４の溝幅ｗは、上述した従来の箱型容器Ｃと同様に、短側壁２の厚さｔの２．５〜５．０倍程度に形成されている。
【００１２】
図１に示されているように、下の箱型容器Ｃｂの短側壁２の上端部を、上の箱型容器Ｃｕの嵌合凹部４、４ａに挿入して段積みした際には、下の箱型容器Ｃｂの右側に位置する短側壁２は、上の箱型容器Ｃｕの右側に位置する溝幅ｗ’の狭い嵌合凹部４ａに挿入されるので、下の箱型容器Ｃｂに対して、上の箱型容器Ｃｕの水平方向の移動量が、上述した従来の段積みに比べて、小さいので、多数の箱型容器Ｃを段積みした際に、段積みされた上方の箱型容器Ｃの傾斜が少なく、従って、従来の段積みに比べて、より多くの箱型容器Ｃを、安定した状態に段積みすることができる。
【００１３】
また、段積み作業の際にも、先ず最初に、上の箱型容器Ｃｕの左側に位置する溝幅ｗの広い嵌合凹部４に、下の箱型容器Ｃｂの左側に位置する短側壁２を挿入し、次いで、上の箱型容器Ｃｕの右側に位置する溝幅ｗ’の狭い嵌合凹部４ａに、下の箱型容器Ｃｂの右側に位置する短側壁２を挿入するようにすれば、上の箱型容器Ｃｕの右側に位置する溝幅ｗ’の狭い嵌合凹部４ａに、下の箱型容器Ｃｂの右側に位置する短側壁２を挿入する際には、既に、上の箱型容器Ｃｕの左側に位置する溝幅ｗの広い嵌合凹部４に、下の箱型容器Ｃｂの左側に位置する短側壁２が挿入されているために、上の箱型容器Ｃｕの右側に位置する溝幅ｗ’の狭い嵌合凹部４ａの位置と、下の箱型容器Ｃｂの右側に位置する短側壁２の位置とが、ほぼ一致しているので、容易に、上の箱型容器Ｃｕの右側に位置する溝幅ｗ’の狭い嵌合凹部４ａに、下の箱型容器Ｃｂの右側に位置する短側壁２を挿入することができ、従って、段積み作業の作業性が向上することになる。
【００１４】
【発明の効果】
本発明は、以上説明したように構成されているので、以下に記載の効果を奏するものである。
【００１５】
箱型容器を段積みした際に、下の箱型容器に対して、上の箱型容器の水平方向の移動量が、従来の箱型容器の段積みに比べて小さいので、段積みされた上方の箱型容器の傾斜が少なく、従って、従来の段積みに比べて、より多くの箱型容器を、安定した状態で段積みすることができる。
【００１６】
段積み作業の際に、予め、上の箱型容器の溝幅の広い嵌合凹部に、下の箱型容器の短側壁を挿入しておけば、上の箱型容器の溝幅の狭い嵌合凹部の位置と、下の箱型容器の短側壁の位置とが、ほぼ一致しているので、容易に、上の箱型容器の溝幅の狭い嵌合凹部に、下の箱型容器の短側壁を挿入することができ、従って、段積み作業の作業性が向上する。
【図面の簡単な説明】
【図１】図１は本発明の２つの箱型容器が段積みされた状態の長側壁に沿った垂直断面図である。
【図２】図２は従来の箱型容器の斜視図である。
【図３】図３は従来の２つの箱型容器が段積みされた状態の長側壁に沿った垂直断面図である。
【符号の説明】
Ｃ・・・・・・・・・・・・箱型容器
１・・・・・・・・・・・・長側壁
１ａ・・・・・・・・・・・切り欠き凹部
２・・・・・・・・・・・・短側壁
３・・・・・・・・・・・・底部
４・・・・・・・・・・・・嵌合凹部
【図１】
0004077943.tif 000002
【図２】
0004077943.tif 000003
【図３】
0004077943.tif 000004